(57)【要約】  【課題】低温貯蔵庫の冷却装置の外部への出っ張りを無くし外観と運搬性がよく、修理交換が容易な冷却装置を搭載した低温貯蔵庫を提供する。  【解決手段】食品等を冷却貯蔵する貯蔵室１１と、貯蔵室１１を冷却する冷却部と放熱器および圧縮機を断熱材で囲った加熱部とからなる冷却装置１２を備え、冷却装置１２を貯蔵室１１の外部から設置でき、設置後は貯蔵室１１の外面から冷却装置１２がはみ出さないことにより、貯蔵室１１の外側から貯蔵室１１内に冷却装置１２を収めることができ、貯蔵室１１の外面を平坦にすることで外観がよくなり、物を置くなどの有効活用ができるとともに、外部から取り付け取り外しができ、冷却装置１２の修理点検などが容易に行える。【選択図】図１
2008215744.tif 000002
【特許請求の範囲】
【請求項１】
食品等を冷却貯蔵する貯蔵室と、前記貯蔵室を冷却する冷却部と放熱器および圧縮機を断熱材で囲った加熱部とからなる冷却装置を備え、前記冷却装置を前記貯蔵室の外部から設置でき、設置後は前記貯蔵室の外面から前記冷却装置がはみ出さない低温貯蔵庫。
【請求項２】
前記冷却部と前記加熱部とを同じ高さに配置し、前記冷却装置の垂直方向を薄く構成した請求項１に記載の低温貯蔵庫。
【請求項３】
前記冷却部と前記加熱部とを上下に配置し、前記冷却装置の水平方向を薄く構成した請求項１に記載の低温貯蔵庫。
【請求項４】
前記貯蔵室内を冷却する循環風の吸い込み口と吹き出し口を水平または垂直の直線方向にした冷却装置で構成した請求項２または３に記載の低温貯蔵庫。
【発明の詳細な説明】
【技術分野】
【０００１】
本発明は低温貯蔵庫に関するものである。
【背景技術】
【０００２】
従来、この種の低温貯蔵庫は、冷却装置を貯蔵室の上面に乗せ冷却装置の下部から冷却風を貯蔵室天面の開口部から庫内に流し込むように構成されている。
【０００３】
図７は、従来の低温貯蔵庫の斜視図、図８は、従来の低温貯蔵庫の貯蔵室の開口部を示した斜視図、図９は、従来の冷却装置の断面図である。
【０００４】
図７に示すように、低温貯蔵庫１は前面に扉３を有した断熱性の高い貯蔵室２の天面に冷却装置４を乗せている。
【０００５】
図８に示すように、冷却風は、低温貯蔵庫１の天面の開口５から貯蔵室２内に流し込むよう構成している。
【０００６】
図９に示すように、冷却装置４の内部構造は、冷却側には保冷庫内の空気を吸い込み、冷却後、吐き出すための角穴が低温貯蔵庫１の天面の開口５に相対して設けられている。また、冷却風は図９の矢印のように流れ、冷却側の周囲を断熱箱にて囲い、貯蔵室２側の冷気洩れを防止している。
【特許文献１】特開２００３−３０２１４１号公報
【発明の開示】
【発明が解決しようとする課題】
【０００７】
しかしながら、上記従来の構成では、冷却装置４が貯蔵室２の天井面に乗っており、放熱のための風路確保のため、冷却装置４の面積以上の貯蔵室２の天井面を有効活用することができない。また、一般的にはこの種の低温貯蔵庫は農作物などの食品の冷却に広く利用され、大型の物が多く、冷却装置４の小型化とあいまって天井面の一部分に冷却装置４を置くのは、外観を損ねるだけでなくスペースの無駄が生じてしまう。さらに、農産物などを貯蔵する低温貯蔵庫は専門の食品業者だけではなく、民家の納屋などに設置するのが一般的となっており、低温貯蔵庫の設置搬入時には、納屋の引戸高さ、扉高さの制限があり、搬入ができない時は一担冷却装置４を取り外し、貯蔵室２と別搬入して納屋の中で再度組立てなければならず、納屋の天井が低い時は組立て作業性が悪く、場合によっては貯蔵室２の天面に乗って冷却装置４の取り付け作業ができない場合もある。
【０００８】
また、冷却装置４の故障などの修理の時、大量の冷却物を貯蔵室２から取り出し、冷却装置４の修理または交換を行い、再度、冷却物を元に戻すなど、作業が困難である、という課題を有していた。
【０００９】
本発明は、上記従来の課題を解決するもので、貯蔵室２内に冷却装置４を収めることができ、貯蔵室２の天井面を平坦にすることで物を置くなどの有効活用ができるようにし、更に庫内が広く有効活用ができ、冷却装置４の修理点検などが容易に行える低温貯蔵庫を提供することを目的とする。
【課題を解決するための手段】
【００１０】
上記従来の課題を解決するために、本発明の低温貯蔵庫は、食品等を冷却貯蔵する貯蔵室と、前記貯蔵室を冷却する冷却部と放熱器および圧縮機を断熱材で囲った加熱部とからなる冷却装置を備え、前記冷却装置を前記貯蔵室の外部から設置でき、設置後は前記貯蔵室の外面から冷却装置がはみ出さないものである。
【００１１】
これによって、貯蔵室の外側から貯蔵室内に冷却装置を収めることができ、貯蔵室の外面を平坦にすることで外観がよくなり、物を置くなどの有効活用ができるとともに、外部から取り付け取り外しができ、冷却装置の修理点検などが容易に行える。
【発明の効果】
【００１２】
本発明の低温貯蔵庫は、貯蔵室の外部から冷却装置を挿入するように設置するため、貯蔵室の断熱材の厚み分は冷却装置の構造として使えるため、内部に冷却装置をそのまま設置する場合に比べて、より少ない体積となるため貯蔵室内をより有効に活用することができる。また、冷却装置を貯蔵室の外側から挿入するように設置し、冷却装置の一面が貯蔵室の外面となるため、放熱器の廃熱や除霜水の排水が特殊な排気ダクトや排水ポンプなどを用いずに容易に構成できる。
【発明を実施するための最良の形態】
【００１３】
請求項１に記載の発明は、食品等を冷却貯蔵する貯蔵室と、貯蔵室を冷却する冷却部と放熱器および圧縮機を断熱材で囲った加熱部とからなる冷却装置を備え、前記冷却装置を前記貯蔵室の外部から設置でき、設置後は前記貯蔵室の外面から冷却装置がはみ出さないことにより、低温貯蔵庫は、貯蔵室の外側から貯蔵室内に冷却装置を収めることができ、同様に取り外しができるので、冷却装置の修理点検などが容易に行える。また、貯蔵室の外面を平坦にすることで外観がよくなり、物を置くなどの有効活用ができる。
【００１４】
請求項２に記載の発明は、請求項１に記載の発明において、前記冷却装置は、前記冷却部と前記加熱部とを同じ高さに配置し、前記冷却装置の垂直方向を薄く構成したことにより、貯蔵室の天井近くに配置することにより、貯蔵室内に入れる食品などの冷却物に邪魔にならず、貯蔵室内を有効活用することができる。
【００１５】
請求項３に記載の発明は、請求項１に記載の発明において、前記冷却装置は、前記冷却部と前記加熱部とを上下に配置し、前記冷却装置の水平方向を薄く構成したことにより、貯蔵室外部から冷却装置を取り付け取り外しをする際に、大型の貯蔵室では天井近くに設置するには、困難な場合があるが、冷却装置を上下に長く薄く構成すれば、冷却装置の重心位置が下がるため、比較的容易に冷却装置を設置することができる。また天井近くに設置しなくてもある程度、貯蔵室の中央や下に設置することも可能である。
【００１６】
請求項４に記載の発明は、請求項２または３に記載の発明において、前記冷却装置は、前記貯蔵室内を冷却する循環風の吸い込み口と吹き出し口を水平または垂直の直線方向にした冷却装置で構成することにより、貯蔵室内の空気を吸い込みから吐き出しに対して直線方向に流すことで冷却器近傍での気流の抵抗が最も小さく最適に熱交換することができるので、冷却器や送風機を小型化することができる。
【００１７】
以下、本発明の実施の形態について、図面を参照しながら説明する。なお、この実施の形態によってこの発明が限定されるものではない。
【００１８】
（実施の形態１）
図１は、本発明の実施の形態１における低温貯蔵庫の背面側斜視図、図２（ａ）（ｂ）は、同実施の形態の低温貯蔵庫の冷却装置の平面図と側面図、図３は、同実施の形態の低温貯蔵庫の冷却装置の取付け前の背面側斜視図を示す。
【００１９】
図１において、低温貯蔵庫１０は、食品などを冷蔵する貯蔵室１１と、冷却装置１２とからなり、冷却装置１２が貯蔵室１１の外側から挿入するように設置される。
【００２０】
図２において、冷却装置１２は冷却器２１と送風機２２と除霜水を受ける受け皿２３とで構成された冷却部２４と、放熱器２５と圧縮機２６と除霜水を蒸発させる蒸発皿２７とで構成された加熱部２８と、からなり、冷却部２４と加熱部２８とは断熱材２９で仕切られている。ここで、冷却部２４と加熱部２８とは水平方向（貯蔵室の奥行き方向）に並んで配置し、冷却部２４と加熱部２８とを同じ高さに配置している。
【００２１】
図３において、貯蔵室１１の背面側に冷却装置１２の取付け用の開口３１を設けて、冷却装置１２を開口３１に外側から挿入し設置する。
【００２２】
以上のように構成された低温貯蔵庫について、以下その動作、作用を説明する。
【００２３】
まず、冷却装置１２が貯蔵室１１に設置される際には、貯蔵室１１の断熱材と加熱部２８を仕切っている断熱材２９とが合わさり、冷却装置１２の加熱部２８は貯蔵室１１内部から仕切られ、熱の流入が防がれる。これにより冷却側と放熱側が分断され、冷却装置１２として機能することができる。さらに除霜水などは冷却装置１２の外部露出面側に排水口を設ければよく、ポンプや配水管などを別に設置する必要が無く、加熱部２８の外部からの吸排気は冷却装置１２の挿入設置される外面となり、冷却装置１２に吸排気口を設置することで、冷却装置１２を組み入れるだけで低温貯蔵庫を完成させることができる。
【００２４】
また、本実施の形態では、冷却装置１２の冷却部２４と加熱部２８とを同じ高さに配置し、冷却装置１２の垂直方向を薄く構成したため、貯蔵室１１の天井付近に設置することで、貯蔵室１１内のスペースが広く邪魔にならない。
【００２５】
また、本実施の形態では、冷却装置１２の冷却部２４について冷却器２１と送風機２２が、貯蔵室１１内部の空気の吸入口と冷却後の排気口を直線状に設置できるので、空気の流れが抵抗を受けることなく冷却器２４に導入されるため、効率的に貯蔵室１１内空気を冷却でき、冷却部２４についても小型することができる。
【００２６】
（実施の形態２）
図４は、本発明の実施の形態２における低温貯蔵庫の背面側斜視図、図５（ａ）（ｂ）（ｃ）は、同実施の形態の低温貯蔵庫の冷却装置の側面図と平面図、図６は、同実施の形態の低温貯蔵庫の冷却装置の取付け前の背面側斜視図を示す。
【００２７】
図４において、低温貯蔵庫４０は、食品などを冷蔵する貯蔵室４１と、冷却装置４２とからなり、冷却装置４２が貯蔵室４１の外側から挿入するように設置される。
【００２８】
図５において、冷却装置４２は冷却器５１と送風機５２と除霜水を受ける受け皿５３とで構成された冷却部５４と、放熱器５５と圧縮機５６と除霜水を蒸発させる蒸発皿５７とで構成された加熱部５８と、からなり、加熱部５８は断熱材５９で仕切られている。ここで、冷却部５４と加熱部５８とは上下方向に配置している。
【００２９】
図６において、貯蔵室４１の背面側に冷却装置４２の取付け用の開口６１を設けて、冷却装置４２を開口６１に外側から挿入し設置される。
【００３０】
以上のように構成された低温貯蔵庫について、以下その動作、作用を説明する。
【００３１】
まず、冷却装置４２が貯蔵室４１に設置される際には、貯蔵室４１の断熱材と加熱部５８を仕切っている断熱材５９とが合わさり、冷却装置４２の加熱部５８は貯蔵室４１内部から仕切られ、熱の流入が防がれる。これにより冷却側と放熱側が分断され、冷却装置４２として機能することができる。さらに除霜水などは冷却装置４２の外部露出面側に排水口を設ければよく、ポンプや配水管などを別に設置する必要が無く、加熱部５８の外部からの吸排気は冷却装置４２の挿入設置される外面となり、冷却装置４２に吸排気口を設置することで、冷却装置４２を組み入れるだけで低温貯蔵庫４０を完成させることが出来る。
【００３２】
また、本実施の形態では、冷却装置４２の冷却部５４と加熱部５８とを上下に配置し、冷却装置４２の水平方向を薄く構成したため、貯蔵室４１の天井付近に設置しても、重心位置が低い位置にあるので設置時や冷却装置４２の交換時に冷却装置４２を持ち上げるなどの作業がしやすい。また冷却装置４２が薄く構成でき、貯蔵室４１の断熱材の幅も冷却装置４２を構成するスペースとして使えるため、従来の内面から冷却装置４２を取り付けるような場合よりも薄く構成することができ、貯蔵室４１内のスペースが広く邪魔にならない。
【００３３】
また、本実施の形態では、冷却装置４２の冷却部について冷却部５４と送風機５２にたいして、貯蔵室４１内部の空気の吸入口と冷却後の排気口を直線状に設置できるので、空気の流れが抵抗を受けることなく冷却器５１に導入されるため、効率的に貯蔵室４１内空気を冷却でき、冷却部５４についても小型することができる。
【産業上の利用可能性】
【００３４】
以上のように、本発明にかかる低温貯蔵庫は、食品等を冷却貯蔵する貯蔵室に冷却装置を外部から設置でき、設置後は貯蔵室の外面から冷却装置がはみ出さず、比較的庫内スペースも小さくでき、民家の納屋など搬入の困難な場所であっても設置や修理交換などの作業も容易になる。冷却装置は単体で取り付いていることから、断熱性を持った箱体があればよいので、各種の保冷庫はもとより冷蔵庫・自販機等の用途にも適用できる。
【図面の簡単な説明】
【００３５】
【図１】本発明の実施の形態１における低温貯蔵庫の背面側斜視図
【図２】（ａ）同実施の形態の低温貯蔵庫の冷却装置の平面図（ｂ）同実施の形態の低温貯蔵庫の冷却装置の側面図
【図３】同実施の形態の低温貯蔵庫の冷却装置の取付け前の背面側斜視図
【図４】本発明の実施の形態２における低温貯蔵庫の背面側斜視図
【図５】（ａ）同実施の形態の低温貯蔵庫の冷却装置の側面図（ｂ）同実施の形態の低温貯蔵庫の冷却装置の平面図（ｃ）同実施の形態の低温貯蔵庫の冷却装置の平面図
【図６】同実施の形態の低温貯蔵庫の冷却装置の取付け前の背面側斜視図
【図７】従来の低温貯蔵庫の斜視図
【図８】従来の低温貯蔵庫の貯蔵室の開口部を示した斜視図
【図９】従来の冷却装置の断面図
【符号の説明】
【００３６】
１０，４０  低温貯蔵庫
１１，４１  貯蔵室
１２，４２  冷却装置
２１，５１  冷却器
２２，５２  送風機
２３，５３  受け皿
２４，５４  冷却部
２５，５５  放熱器
２６，５６  圧縮機
２７，５７  蒸発皿
２８，５８  加熱部
２９，５９  断熱材
３１，６１  開口
【図１】
2008215744.tif 000003
【図２】
2008215744.tif 000004
【図３】
2008215744.tif 000005
【図４】
2008215744.tif 000006
【図５】
2008215744.tif 000007
【図６】
2008215744.tif 000008
【図７】
2008215744.tif 000009
【図８】
2008215744.tif 000010
【図９】
2008215744.tif 000011